(57)【特許請求の範囲】
【請求項１】
放送中の複数のチャンネルの番組情報を記録する番組情報メモリと、
選択しているチャンネルがＣＭ放送を行っているか、及びＣＭ放送が終了したかを検出するＣＭ検出手段と、
前記ＣＭ検出手段によるＣＭ放送検出時に前記番組情報メモリから読み出した複数チャンネルの番組情報を画像出力し、ＣＭ放送終了検出時にその出力を停止する番組情報画像形成手段とを備え、
前記番組情報画像形成手段では、前記複数チャンネルの番組情報を画像出力するとき、現在放送中のＣＭ放送を薄く表示し、ＣＭ放送中のチャンネルの番組情報を他のチャンネルの番組情報と識別可能に重ね表示することを特徴とするテレビ放送受信機。
【請求項２】
前記番組情報を重ね表示するとき、ＣＭ放送の音声を出力することを特徴とする請求項１記載のテレビ放送受信機。
【請求項３】
前記番組情報を重ね表示するとき、ＣＭ放送の音声を停止させ、利用者が選択しようとして操作指示しているチャンネルの番組情報を音声案内することを特徴とする請求項１記載のテレビ放送受信機。
【発明の詳細な説明】
【０００１】
【発明の属する技術分野】
本発明は、地上波放送、衛星放送等の各種テレビ放送の受信機において、特に番組情報を利用者に対して適切な時期に提供することができるようにしたテレビ放送受信機に関する。
【０００２】
【従来の技術】
現時のテレビ放送は地上波放送、衛星放送、ケーブルテレビ放送等種々の放送媒体を用いて放送が行われており、更に、例えば地上波放送においては現在広く放送されている最も一般的なアナログ放送の他に、そのアナログ放送の信号中にデジタル信号を送信する文字多重放送やデータ多重放送等の多重放送が存在する。このような文字多重放送等においては、１つのチャンネルで数百の文字放送を並列して送信できるため、多くの分野の情報を１画面数秒程度の間隔で随時更新して放送でき、アナログ地上波放送の他の態様の放送として今後広く普及することが予想されている。
【０００３】
また、地上波放送についてはまもなくＯＦＤＭ（直行周波数分割多重方式）の伝送方式によるデジタル放送も開始されようとしており、このＯＦＤＭ方式はゴーストに強くまた移動体受信にも適しているため、車載用テレビのための放送、及び各種データの送信に広く用いられることが期待されている。また、この放送はデジタル放送のため、多数のチャンネルによる放送が予想されている。
【０００４】
衛星放送については現在既にＢＳ放送及びＣＳ放送が広く利用されており、そのうちＢＳ放送については現在広く放送されているアナログによる一般放送の他ハイビジョン放送も行われている。またＢＳ放送はこのようなアナログ放送の他、既にデジタル放送も行われており、このＢＳデジタル放送は、標準解像度テレビ（ＳＤＴＶ）の他、ハイビジョン等の高解像度テレビ（ＨＤＴＶ）の放送も行われている。
【０００５】
衛星放送のうちＣＳ放送については、現在既にオーディオ放送を含めて３００以上のチャンネルが放送されているが、今後更にチャンネル数増えることも予想され、ＢＳデジタル放送と共に今後更に普及することが予想されている。また、ケーブルテレビ放送についても上記のような種々の放送の媒体として利用されるとともに独自の放送を行っており、光ケーブルを用いていることことにより伝送容量が多いため、パソコン通信等、種々の通信にも利用されるようになっている。
【０００６】
【発明が解決しようとする課題】
上記のようにテレビ放送は現在放送されている形態から、デジタル技術の発達により多チャンネル化、各種情報・データの通信媒体化の方向を主体として、今後この数年で大きく変化することが予想されている。
【０００７】
このようにテレビ放送が種々の放送方式の各々で多チャンネル化しようとしており、テレビ放送受信機においても各放送方式について多数のチャンネルを受信することができるようになると共に、更に複数の放送方式の受信に対応して、より多数のチャンネルを受信することができる受信機も開発されようとしている。
【０００８】
そのため、これらの多数のチャンネルの中から自分が見たい番組を選択することは、例えば現在極めて多数のチャンネルを放送しているＣＳ放送において既に問題となっているように、今後ＢＳ放送等の各種放送方式においても問題となることが予想される。このことは現在比較的チャンネル数の少ない地上波のアナログ放送においても、別途新聞あるいはテレビ番組雑誌等のテレビ番組表を十分検討しないと、現在放送されている番組の中から最も自分の趣味等に適する番組を選択して見ることは困難であり、ここでも同様の問題が生じている。なお、テレビ番組表についてはインターネットにおいても、番組の総合情報、各局毎の詳細な番組案内等が各ホームページから提供されており、利用者はこれらも利用して視聴チャンネル選択の参考にしている。
【０００９】
その対策として、別途新聞や雑誌のテレビ番組表を見ることなしに、テレビに番組情報を表示することができるようにし、利用者はそれを参考にして見たい番組を選択することが既に行われ、更にこのような番組情報の提供を充実させようとしている。このように画面上に表示された番組情報の利用に際しては、画面表示された番組表のリストに対して、あるいは多数のチャンネルの映像を表示している複数の分割画面対して、リモコン等で所定の番組リストあるいは分割画面を指示することにより、そのチャンネルを選択して受信することが行われている。
【００１０】
このような番組情報の提供手段としては、例えばＣＳ放送においては各放送において送信される電子番組情報（ＥＰＧ：Ｅｌｅｃｔｒｏｎｉｃ  Ｐｒｏｇｒａｍ  Ｇｕｉｄｅ）を受信機がこれを受信してデータとして再構成し、番組ガイドとしてわかり易く表示することが行われている。
【００１１】
また、ＢＳ放送についても同様の放送をＧガイドとして放送し、これを受信することにより各局の番組情報を画面上に表示する方式が行われ、この方式も普及することが予想され、それに対応した受信機も発売されるようになっている。更に一般地上波アナログ放送においても、文字多重放送により送信された番組情報を受信し、これを画面に表示することができるようになっている受信機も存在する。また、インターネットからも番組情報が提供されており、テレビ放送受信機側にインターネットの接続機能を備えることにより、その情報をテレビに映し出すことができるようにもなっているものもある。
【００１２】
このように各種テレビ放送において、利用者が容易に適切な番組を選択することができるように、種々の番組情報の提供手段でテレビ画面にこれを表示することができるようになっているが、この番組情報を見るためには通常現在放送している画面上に重ねてこれを表示したものを見るか、画面を分割して複数画面としこれを並べて表示たものを見るか、あるいは現在の番組の視聴の画面を番組情報を見るための画面に切り替えて見る等の手段でこれを利用することとなる。
【００１３】
そのため、通常のテレビの視聴中には番組情報を表示する画面にしていないことが普通であり、番組情報を見るためには別途画面表示切り替え操作等を行う必要があり、煩わしいものとならざるを得ない。また、例えば現在視聴しているチャンネルから他のチャンネルに切り替えたとき、そのチャンネルがＣＭを放送中であるときには、そのチャンネルで現在どのような番組を放送しているのか知ることができない。そのときには改めて前記のような番組情報の画面表示操作を行うこととなり、これも煩わしいものとならざるを得ず、この操作を行わないでＣＭの放送の終了を待つことは更に利用者に対していらいらさせることとなる。
【００１４】
したがって本発明は、利用者が特別の操作を行うことなしに、選択したチャンネルがＣＭ放送中のときに自動的に番組情報を見ることができ、ＣＭ放送終了時に元の画面に戻すことにより、適切なタイミングで番組情報を見ることができるようにしたテレビ放送受信機を提供することを目的としている。
【００１５】
【課題を解決するための手段】
本発明のテレビ放送受信機は、上記課題を解決するため、放送中の複数のチャンネルの番組情報を記録する番組情報メモリと、選択しているチャンネルがＣＭ放送を行っているか、及びＣＭ放送が終了したかを検出するＣＭ検出手段と、前記ＣＭ検出手段によるＣＭ放送検出時に前記番組情報メモリから読み出した複数チャンネルの番組情報を画像出力し、ＣＭ放送終了検出時にその出力を停止する番組情報画像形成手段とを備え、前記番組情報画像形成手段では、前記複数チャンネルの番組情報を画像出力するとき、現在放送中のＣＭ放送を薄く表示し、ＣＭ放送中のチャンネルの番組情報を他のチャンネルの番組情報と識別可能に重ね表示することを特徴とする。
【００１６】
また、本発明に係る他のテレビ放送受信機は、前記テレビ放送受信機において、前記番組情報を重ね表示するとき、ＣＭ放送の音声を出力することを特徴とする。
【００１７】
また、本発明に係る他のテレビ放送受信機は、前記テレビ放送受信機において、前記番組情報を重ね表示するとき、ＣＭ放送の音声を停止させ、利用者が選択しようとして操作指示しているチャンネルの番組情報を音声案内することを特徴とする。
【００２１】
【発明の実施の形態】
本発明の実施の形態を図面に沿って説明する。図１は本発明をデジタル放送受信機に適用した例の一実施例の主要機能をブロックとして示すと共に、各機能の関連を示した機能ブロック図であり、この図において従来と同様に、アンテナ１１で受信したデジタル放送の電波は、ＲＦ信号を復調すると共に次いでベースバンド信号を復調する復調部１２で信号が復調される。その信号はデータ分離部１３においてオーディオデータ１４、ビデオデータ１５、さらにはこれらのデータの管理情報及び各種の情報が含まれている情報チャネルから情報チャネルデータ１６が分離される。
【００２２】
ここで分離されたオーディオデータ１４はオーディオデコード部１７、アンプ１８を介してスピーカ１９から出力し、ビデオデータ１５はビデオ信号デコード部２０に出力され、画像合成部２１で後述する番組情報画像形成部２６からの適宜の画像等を合成して画像表示部２５に映像を表示する。また、情報チャネルデータ１６の種々の情報データのうち、番組情報は番組情報メモリ２３にメモリ容量分だけ新規のものが記録される。
【００２３】
ビデオ信号デコード部２０によりデコードされたビデオ信号に基づいてＣＭ検出部２４はＣＭ放送を検出する。この検出手段としては従来からビデオ録画装置に広く用いられている、例えばＣＭ放送はステレオ放送で行われることが多いことから、通常の放送からステレオ放送の切替を検出し、あるいは映画番組などの２カ国語放送や音声多重放送からステレオ放送への切り替えを検出し、また、各パイロット信号の切り替わりを検出することによりＣＭ放送の検出を行っている。なお、映画がステレオ放送である時の上記方法による誤動作を考慮して、映画のフィルムが毎秒２４コマであるのをテレビの信号の毎秒６０フレームに変換する信号を検出しておき、ＣＭ放送ではこの変換信号が無くなることを検出しＣＭ放送検出を行う手段も提案されており、本発明においてもこれらの公知の各種のＣＭ放送検出手段を採用することができる。
【００２４】
番組情報画像形成部２５においては、上記ＣＭ検出部２４においてＣＭ放送を検出したとき、その信号を受けて番組情報メモリ２３に記録していた現在放送されている番組情報を読み出し、この情報を元に所定の番組情報画像を形成し、前記通常のテレビ放送用画像を形成する画像形成部２１に出力する。このとき、画像形成部２１では前記ＣＭ検出部２４の信号により画面切替部２８から番組情報を表示するように指示する所定の信号が入力されることによって自動的に切り替えが行われる。また、このようにしてＣＭ放送検出時に自動的に番組情報表示に切り替えられた後、ＣＭ放送が終了したことをＣＭ検出部２４において検出したときには、画面切替部２８はその検出信号により通常のテレビ画面に表示の切り替えを行う。
【００２５】
この実施例においては、画像形成部２１において通常のテレビ放送画面から番組情報表示画面に切り替えるに際して、利用者が任意に操作する設定操作部３０からの設定信号により種々の方式で番組情報の表示を行うことができるようにしている。即ち、番組情報表示方式選択部２７において、例えば画像表示部２２で通常のテレビ画面と番組情報表示画面とを全く切り替えて表示する方式、あるいは画面を２分割して片側の画面にはそのままテレビ放送の画像を表示し、他側の画面は番組情報表示画面とする方式、更には、通常のテレビ画面は薄く表示し、その画像をバック画面として番組情報の文字や枠表示を行う方式等、種々の方式を予め用意しておき、設定操作部３０によって予めこれを選択しておき、その選択された表示方式で画面切替部２１が画像表示部２２に出力する画面を切り替えることができるようにしている。
【００２６】
また、この実施例においては、番組情報画像形成部２５に対して番組情報表示内容選択部２６の信号を出力するようにしており、それにより番組情報の各種表示方式の選択、表示された番組リストにおいて画面上に表示されていない部分へのスクロール等の表示内容の選択を設定操作部３０の指示により行うことができるようにしている。
【００２７】
設定操作部３０においては、前記のような番組情報表示方式選択部２７への選択指示、番組情報表示内容選択部２６への選択指示、表示内容指示を行うほか、チャンネル選択操作部からデジタル放送受信機１０のチャンネル選択部３１にチャンネル指示信号を出力し、希望するチャンネルの選択を行わせる。このとき、チャンネル選択操作部から利用者が直接チャンネルの選択指示信号を出力するほか、画面に表示されたチャンネルリストの一部を、ハイライト表示部の移動、カーソルの移動等によりチャンネル選択を行い、所望の位置で確定キーを押すことによりチャンネル選択を行ったものとして、その信号をチャンネル選択部３１に出力することもできる。なお、図示されていないが従来のテレビ放送受信機と同様に、利用者がこの設定操作部３０を操作することにより、任意のときに番組情報を画面に表示して見ることができるようにしている。
【００２８】
上記のような機能ブロックで構成されるデジタル放送受信機１０においては、例えば図２に示すような作動フローに沿って作動させることができる。以下、前記図１の機能ブロック、及び図３に示す実際の画像例と共に説明する。このテレビ放送受信機の画面表示処理に際しては、最初に、選択されているチャンネルの映像の表示が行われる（ステップＳ１）。これは本発明において番組情報の表示作動が行われる前の、通常作動しているテレビの受信・映像表示処理である。
【００２９】
このような通常のテレビの映像表示が行われているとき、本発明においては番組情報の収集とそのメモリが行われる（ステップＳ２）。これは図１における情報チャネルデータ１６で分離された情報データのうち、ＥＰＧ等の番組情報を番組情報メモリ２３に記録することにより行われる。
【００３０】
次いで現在放映されている番組がＣＭの放送になったか否かを判別する（ステップＳ３）。この判別は図１のＣＭ検出部２４によって、前記のようにＣＭ放送がステレオ放送であることにより検出し、ここでＣＭ放送であることが検出されないときには次にチャンネルの変更が行われたか否かを判別する（ステップＳ４）。ここでチャンネルの変更が行われないときには、再びステップＳ１に戻り、選択されているチャンネルの映像の表示を継続し、番組情報の収集を継続して番組情報メモリの内容を更新する。
【００３１】
ステップＳ４においてチャンネルの変更が行われたと判別されたときには、その変更したチャンネルがＣＭ放送か否かを判別する（ステップＳ５）。ここでＣＭ放送ではないと判別されたときには、ステップＳ１に戻り、選択したチャンネルの映像表示を行う。
【００３２】
上記ステップＳ３において、現在視聴しているチャンネルの映像がＣＭ放送に変わったと判別されたとき、あるいはステップＳ５において利用者がチャンネル変更操作を行ったときに変更したチャンネルが丁度ＣＭの放送中であったときには、番組情報をメモリから読み出す（ステップＳ６）。このときは図１に示す番組情報画像形成部２５の指示により、所定の番組情報のデータが読み出される。
【００３３】
次いで、読み出された番組情報データにより所定の形式で番組情報の表示を行う（ステップＳ７）。その表示内容及び表示形式は前記番組情報画像形成部２５の設定により行われ、画像表示装置２２において例えば通常のテレビ映像を消してその代わりに番組情報を表示する画面切替表示方式、あるいは画面表示部２２の画面を例えば左右に適宜の分割比で分割し、片方に現在放送中のＣＭ放送の画面を、他方に番組情報を表示する分割表示方式、更には現在放送中のＣＭ放送画面を薄く表示し、その上に番組情報を明瞭に表示する重ね表示方式等、各種の方式のうちから利用者が予め選択した方式で表示を行う。なお、このときＣＭ放送の音声をそのまま出力しておくこともできるが、これを通常画面と連動させ、通常画面の終了と共に停止させ、利用者が選択しようとして操作指示しているチャンネルの番組情報を音声案内することもできる。
【００３４】
図３（ｃ）には前記各種の表示方式のうち重ね表示方式により番組情報を表示した例を示している。図３においては，（ａ）に示すように最初通常の番組が表示されているとき、その画面が終了して（ｂ）に示すようなＣＭ放送画面となったとき、あるいは（ａ）に示すような通常の画面の状態から利用者がチャンネルの変更を行う操作を行ったときに丁度（ｂ）に示すようなＣＭ放送画面となっていたときには、（ｃ）に示すようなＣＭ放送映像を薄く表示し、その上に番組表示を行う例を示している。なお、このように表示することにより、ＣＭ放送検出が適切に行われなかったときでも利用者がその番組情報のバック画面となっている画面を自然に見ていることによりＣＭ放送が終了したことを知ることができ、その画面を強制的に通常の画面表示に切り替えることができるようにしている。
【００３５】
図３（ｃ）に示す例における番組表示においては、この受信機で視聴することが可能となっているチャンネルのみを選択してチャンネル番号順にリスト化しており、そのチャンネル番号に対して番組の表題が示され、更にその番組の開始時間及び終了時間を示している。ここに表示されたチャンネル以外に例えば９１２チャンネル等の視聴可能な番組があるときには、リモコンのスクロールキーを操作する等によりこの画面をスクロールして表示し、そのチャンネルの番組情報の表示変更操作を行う（ステップＳ８）。この番組情報の表示に際しては、少なくとも現在選択しているチャンネルの番組がその画面上に表示されていれば、利用者は選択しているチャンネルの番組情報を知ることができる。また、その際当該チャンネルの番組情報のみを画面に表示することもできるが、他のチャンネルの番組情報も表示するときには、現在選択しているチャンネルの部分を他と識別するため表示する色を変え、あるいはその部分を特に明るく表示するフラッシュ表示を行う等により、利用者は現在選択したチャンネルが何を放送中の番組であるかを容易に知ることができるようにすることもできる。
【００３６】
その後ＣＭ放送が終了したか否かを判別し（ステップＳ９）、終了していないときには番組情報表示を強制的に終了する操作が行われたか否かを判別し（ステップＳ１０）、強制的に終了する操作が行われていないと判別したときには、ステップＳ７に戻って画面に番組情報表示を行っている状態を継続し、前記作動を繰り返す。この過程でＣＭ放送が終了したことを検出したときには自動的に、また、ＣＭ放送は終了していないがそのチャンネルを選択して視聴すると決める等により、番組情報の表示を強制的に終了することを利用者が指示したときにはその指示により、番組情報表示画面を終了し、通常の画面表示とする（ステップＳ１１）。図３（ｄ）はＣＭ放送が終了し、同図（ａ）と同じチャンネルにおけるＣＭが終了した次の番組が開始された状態、あるいはチャンネルを変更してそのチャンネルのＣＭ放送が行われていないとき、またはＣＭが放送されていて番組情報が表示された後にそのＣＭ放送が終了した状態を示している。
【００３７】
なお、番組情報の表示方法としては従来から行われている種々の態様により表示することができるが、例えば図４に示すように番組情報表示欄を上下に２分割し、下欄には前記図３（ｃ）と同様のリスト表示を行い、上欄にはそのうち現在選択しているチャンネルについての詳細な番組情報を表示することもできる。なお同図の実施例においては、番組情報表示画面の下欄のリスト表示中において、利用者が選択しているチャンネルをハイライト表示、あるいは表示色を変更する例を示しており、更に選択しているそのチャンネルについての詳細情報を上欄に表示することにより、現在選択しているチャンネルの番組の内容を容易に知ることができるようになっている。
【００３８】
図１に示す実施例においてはＣＳデジタル放送受信機に本発明を適用した例を示したが、例えば地上テレビ放送において行われているような文字多重放送を受信し、そこで送信されている番組情報を通常のテレビ放送受信時に番組情報メモリに蓄積し更新しておくことにより、現在受信中のテレビがＣＭ放送となったとき、あるいはチャンネル変更時にＣＭ放送中のチャンネルに当たったときには前記と同様に番組情報を表示し、そのチャンネルの放送中の番組情報を特別の操作を行うことなしに知ることができる。
【００３９】
また、例えば地上波やＢＳ放送における番組情報を提供しているＧガイドを受信し、これを番組情報メモリに蓄積しておくこともでき、更にそのテレビ放送受信機がインターネットに対応しているときには、インターネット上において多くのホームページで提供されている種々の番組情報のうち任意のものを取り込み、これを利用することもできる。
【００４０】
これらの各種態様において、各々番組情報を取り込む手段は異なるため図１に示す機能ブロック図はその態様に合わせて変更することとなるが、図２に示す作動フロー、図３，図４に示す画面表示はこれらにおいてほぼ共通に適用することができる。
【００４１】
【発明の効果】
本発明は、上記のように構成したので、利用者が特別の操作を行うこと無しに、選択したチャンネルがＣＭ放送中のときに自動的に番組情報を見ることができ、またＣＭ放送終了時に元の画面に戻すことにより、適切なタイミングで自動的に番組情報を見ることができる。
【００４２】
また、前記番組情報がデジタル放送における電子番組情報であるものにおいては、デジタル放送の信号中に含まれている情報データの中からＥＰＧ等の番組情報を抽出し、これを利用して番組情報を入手することができるので、デジタル放送において容易に、且つ正確な番組情報を表示することができる。
【００４３】
また、前記番組情報を文字多重放送の番組情報としたものにおいては、テレビ放送信号中に多重化して送信される文字放送中の番組情報を入手することができるので、一般のテレビ放送においても容易に、且つ正確な番組情報を表示することができる。
【００４４】
また、前記番組情報をインターネットから取り入れたものにおいては、インターネットに接続した種々のホームページから提供される番組情報を利用することができ、種々の番組情報を表示することができる。
【００４５】
また、前記画像出力する番組情報に、選択しているチャンネルの番組を識別する手段を付与して画像表示したものにおいては、表示された種々の番組情報のうち現在選択しているチャンネルの番組情報を、利用者が容易に識別して見ることができる。
【００４６】
また、前記画像出力する番組情報が、チャンネル切替時に選択したＣＭ放送中のチャンネルの番組情報であるものにおいては、チャンネル切替中に選択したチャンネルがＣＭ放送中のときにはそのチャンネルが現在何を放送中かわからないが、そのようなときにそのチャンネルの放送中の番組情報が自動的に表示されるので、これを見ることにより容易にそのチャンネルが放送している現在の番組情報を知ることができ、チャンネルの選択が容易となる。
【図面の簡単な説明】
【図１】本発明をデジタル放送受信機に適用した際の機能ブロックとその相互関係を示す機能ブロック図である。
【図２】本発明の作動フロー図である。
【図３】本発明により表示される画面の例を示す図であり、（ａ）は通常のテレビ放送の画面例であり、（ｂ）はその後そのチャンネルがＣＭ放送となり、あるいはチャンネル切替時に選択したチャンネルがＣＭ放送中であったときの画面の例を示し、（ｃ）はこのＣＭ放送を検出することにより現在放送中のテレビ画面上に番組情報表示画面を重ね合わせて表示した例を示し、（ｄ）はＣＭ放送終了により通常の放送が画面表示された例を示す。
【図４】番組情報の他の表示画面例を示す図である。
【符号の説明】
１０  デジタル放送受信機
１３  データ分離部
１６  情報チャネルデータ分離部
２０  ビデオ信号でコード部
２１  画像形成部
２３  番組情報メモリ
２４  ＣＭ検出部
２５  番組情報画像形成部
２６  番組情報表示内容選択部
２７  番組情報表示方式選択部
２８  画面切替部
３０  設定操作部
３１  チャンネル選択部
【図１】
0004408540.tif 000002
【図２】
0004408540.tif 000003
【図３】
0004408540.tif 000004
【図４】
0004408540.tif 000005